(57)【要約】      （修正有）【課題】近年キャリーバッグの需要が増してきてきるが、雨天時に対する防水カバーがなく困ることが多い。雨がひどく降る時などファスナーから雨水が浸透してしまう。雨天時にも安心して使用することができるキャリーバッグ防水カバーを提供する。【解決手段】キャリーバッグの把持部のみを通過する切れ目の入った防水カバーをバッグ本体にかぶせるだけでも、防水効果はあると思われるが、さらに、取手部分にも切れ目を入れた方が、持ち運びに便利である。下端部はキャリーバッグの底部でオーバーラップし、接合することで、雨水の浸入や、泥の跳ね返りからも防ぐことができる。【選択図】図１
0003112597.tif 000002
【実用新案登録請求の範囲】
【請求項１】
キャリーバッグの引き出し把持部を通過させ、バッグ本体にかぶせる把持部の部分に切れ目のある防水カバー。
または、キャリーバッグの引き出し把持部とキャリーバッグの取手部分の両方が通過する２箇所の切れ目を有し、下端部は、キャリーバッグの底部でオーバーラップし、接合することで、キャリーバッグを雨水の浸入や、泥の跳ね返りから防ぐ防水カバー。
【請求項２】
キャリーバッグ防水カバーの両端に傘を収納できる筒状の傘ホールダーを有する請求項１のキャリーバッグ防水カバー。
【請求項３】
キャリーバッグ防水カバーのキャリーバッグの取手部分が、通過する切れ目において、その一方が、表目から切れ目を越えて重なる請求項１のキャリーバッグ防水カバー。
【請求項４】
下端部の重なり部分の接着が、面ファスナー、ホック、粘着テープのような塗布である請求項１のキャリーバッグ防水カバー。
【考案の詳細な説明】
【考案の簡単な説明】
【技術分野】
【０００１】  本考案は、キャリーバッグの防水カバーに関するものである。
【背景技術】
【０００２】  キャリーバッグに、雨水防水カバーがなく、雨の時は困っていた。雨のひどい時にはファスナーから水が浸透してしまった。他の人のキャリーバッグも雨に濡れたままであった。それで、この雨水を防ぐことができるように、防水カバーをかけることを考えた。
【考案が解決しようとする課題】
【０００３】  本考案は、キャリーバッグにおける雨水の浸入防止に関するものである。
【考案の実施と効果】
【０００４】  キャリーバッグの引き出し把持部だけに切れ目を入れかぶせても良いが、取手部分にも切れ目を入れたほうが、持ち運に便利である。また、下端が開いている状態より、下底面もおおうことにより、雨水の浸入や泥の跳ね上がりも防ぐことができる。さらに、雨傘を収納するホールダーを取り付けることにより、雨傘の使用後の保管に便利である。〔図１〕
【０００５】  本考案で使用する防水カバーは雨水を浸透しないものなら何でも良い。フィルム、撥水加工された布帛や紙などいずれでも良い。その防水カバーは着色しても良い。また、絵柄のものでも透明のものでも良い。
【０００６】  本考案のまず引き出し把持部と取手部分の２箇所の切れ目は、中心線上にそれらの幅のみ切り込むだけで十分である。さらに、好ましくは、取手の切れ目について、その切れ目の幅に上面から切れ目をおおう加工をしても良い。別の布帛を取り付けるか、上面フィルムを引き伸ばし、切れ目を越えることによって達成できる。〔図２〕
【０００７】  下底部は布帛、あるいはフィルムの延長によって重なるようにおおい、その重なり部分を接着することによって、その下部からの雨水の浸入や泥跳ねを防ぐ。重なり部分の接着については、面ファスナー、ホック、粘着テープのような塗布によって行っても良い。しかし、これに限定するものではない。その重なり部分の範囲は両車輪、および、両脚部の間で行う方が望ましいが。〔図３のイ〕  また、両車輪部と両脚部のための切れ目を入れ、車輪部と脚部を外に出して接着しても良い。〔図３のロ〕、また、両車輪部、あるいは、両脚部の外側に重ね接着しても良い。〔図３のハ〕
【０００８】  本考案の傘の収納部分は、同じく布帛、フィルム、紙、ループなどで構成し、左右いずれかに取り付けても良いし、両サイドに取り付けても良い。収納の筒の長さは傘の頭が少し出る程度で良い。筒の底には雨水の排出用の穴を開けても良いし、メッシュなど、透水性のある布帛、フィルム、あるいは、紙で構成しても良い。もしくは、筒の底を狭めて、傘の落下を防止できるようにしても良い。〔図４〕は傘を収納した図である。また、面ファスナーなどを用いて、上下に２本のループなどで傘を保持しても良い。〔図５〕
以上により、雨天時におけるキャリーバッグの雨水や泥の浸入を防ぐことができ、かつ、雨傘の収納も容易にでき、本考案は非常に便利である。
【図１】
0003112597.tif 000003
【図２】
0003112597.tif 000004
【図３】
0003112597.tif 000005
0003112597.tif 000006
【図４】
0003112597.tif 000007
【図５】
0003112597.tif 000008
【図６】
0003112597.tif 000009
0003112597.tif 000010
【手続補正書】
【提出日】平成17年4月14日(2005.4.14)
【手続補正１】
【補正対象書類名】実用新案登録請求の範囲
【補正対象項目名】全文
【補正方法】変更
【補正の内容】
【実用新案登録請求の範囲】
【請求項１】
キャリーバッグの引き出し把持部とキャリーバッグの取手部分の両方が通過する２箇所の切れ目を有し、下面部は、キャリーバッグの底部でオーバーラップし、接合することで、キャリーバッグを雨水の浸入や、泥の跳ね返りから防ぐ防水カバー。
【請求項２】
キャリーバッグ防水カバーの両端に傘を収納できる筒状の傘ホールダーを有する請求項１のキャリーバッグ防水カバー。
【請求項３】
キャリーバッグ防水カバーのキャリーバッグの取手部分が、通過する切れ目において、その一方が、表目から切れ目を越えて重なる請求項１のキャリーバッグ防水カバー。
【請求項４】
下面部の重なり部分の接着が、面ファスナー、ホック、粘着テープのいずれかによって接合する請求項１のキャリーバッグ防水カバー。
【手続補正２】
【補正対象書類名】明細書
【補正対象項目名】全文
【補正方法】変更
【補正の内容】
【考案の詳細な説明】
【技術分野】
【０００１】  本考案は、キャリーバッグの防水カバーに関するものである。【０００２】
【背景技術】  キャリーバッグに、雨水防水カバーがなく、雨の時は困っていた。雨のひどい時にはファスナーから水が浸透してしまった。他の人のキャリーバッグも雨に濡れたままであった。それで、この雨水を防ぐことができるように、防水カバーをかけることを考えた。【０００３】
【考案が解決しようとする課題】
本考案は、キャリーバッグにおける雨水の浸入防止に関するものである。
【考案の実施と効果】
【０００４】  キャリーバッグの引き出し把持部だけに切れ目を入れかぶせても良いが、取手部分にも切れ目を入れたほうが、持ち運に便利である。また、下端が開いている状態より、下底面もおおうことにより、雨水の浸入や泥の跳ね上がりも防ぐことができる。さらに、雨傘を収納するホールダーを取り付けることにより、雨傘の使用後の保管に便利である。図１
【０００５】  本考案で使用する防水カバーは雨水を浸透しないものなら何でも良い。フィルム、撥水加工された布帛や紙などいずれでも良い。その防水カバーは着色しても良い。また、絵柄のものでも透明のものでも良い。
【０００６】  本考案のまず引き出し把持部と取手部分の２箇所の切れ目は、中心線上にそれらの幅のみ切り込むだけで十分である。さらに、好ましくは、取手の切れ目について、その切れ目の幅に上面から切れ目をおおう加工をしても良い。別の布帛を取り付けるか、上面フィルムを引き伸ばし、切れ目を越えることによって達成できる。図２
【０００７】  下底部は布帛、あるいはフィルムの延長によって重なるようにおおい、その重なり部分を接着することによって、その下部からの雨水の浸入や泥跳ねを防ぐ。重なり部分の接着については、面ファスナー、ホック、粘着テープのような塗布によって行っても良い。しかし、これに限定するものではない。その重なり部分の範囲は両車輪、および、両脚部の間で行う方が望ましいが。図３のイ  また、両車輪部と両脚部のための切れ目を入れ、車輪部と脚部を外に出して接着しても良い。図３のロ、また、両車輪部、あるいは、両脚部の外側に重ね接着しても良い。図３のハ
【０００８】  本考案の傘の収納部分は、同じく布帛、フィルム、紙、ループなどで構成し、左右いずれかに取り付けても良いし、両サイドに取り付けても良い。収納の筒の長さは傘の頭が少し出る程度で良い。筒の底には雨水の排出用の穴を開けても良いし、メッシュなど、透水性のある布帛、フィルム、あるいは、紙で構成しても良い。もしくは、筒の底を狭めて、傘の落下を防止できるようにしても良い。図４は傘を収納した図である。また、面ファスナーなどを用いて、上下に２本のループなどで傘を保持しても良い。図５
以上により、雨天時におけるキャリーバッグの雨水や泥の浸入を防ぐことができ、かつ、雨傘の収納も容易にでき、本考案は非常に便利である。
【図面の簡単な説明】
【０００９】
【図１】  本考案のキャリーバッグ防水カバーの斜視図である。
【図２】  キャリーバッグ防水カバーの上面図である。
【図３】  キャリーバッグ防水カバーの下面図である。
【図４】  袋状の傘ホルダーを有するキャリーバッグ防水カバーの断面図である。
【図５】  面ファスナー式傘ホルダーを有するキャリーバッグ防水カバーの側面図である。
【図６】  図４と図５の共通図である。
【符号の説明】
【００１０】  １  上面部
２  前面部
３  下面部
４  側面部
５  後面部
６  キャリーバッグカバー
７  引き出し把持部
８  把持部切れ目
９  取手部
１０  取手部切れ目
１１  取手部の切れ目をカバーするフィルム
１２  傘収納ホールダー
１３  キャリーバッグ脚部
１４  キャリーバッグ車輪部
１５  脚部の切れ目
１６  車輪部の切れ目
１７  傘ホールド用面ファスナ
【手続補正３】
【補正対象書類名】図面
【補正対象項目名】全図
【補正方法】変更
【補正の内容】
【図１】
0003112597.tif 000011
【図２】
0003112597.tif 000012
【図３】
0003112597.tif 000013
【図４】
0003112597.tif 000014
【図５】
0003112597.tif 000015
【図６】
0003112597.tif 000016